(57)【要約】【課題】安価でありかつ廃棄される部位の少ない歯科技工用模型の基台を提供すること。【解決手段】  口腔内から採取した歯型に基づいて形成した歯の石膏模型を表面に固定する板状部と、当該板状部の裏面から軸部を突出させたピンを複数本有する歯科技工用基台の連結ピン部材の製造方法であって、前記連結ピン部材を着脱可能に載置する載置面を形成したベース部材を設けるとともに前記載置面を底面とした収容部を形成する上端開口の枠部材を設け、前記載置面に設けられた孔に頭部を除くピンの軸部を嵌合させるとともに枠部材の内側に硬化前の石膏液を流し込み、前記ピンの頭部を内包するように石膏を固化させることによって形成したことを特徴とする連結ピン部材の製造方法。【選択図】図１
2011161074.tif 000002
【特許請求の範囲】
【請求項１】
口腔内から採取した歯型に基づいて形成した歯の石膏模型を表面に固定する板状部と、当該板状部の裏面から軸部を突出させたピンを複数本有する歯科技工用基台の連結ピン部材の製造方法であって、
前記連結ピン部材を着脱可能に載置する載置面を形成したベース部材を設けるとともに前記載置面を底面とした収容部を形成する上端開口の枠部材を設け、
前記載置面に設けられた孔に頭部を除くピンの軸部を嵌合させるとともに枠部材の内側に硬化前の石膏液を流し込み、前記ピンの頭部を内包するように石膏を固化させることによって形成したことを特徴とする連結ピン部材の製造方法。
【請求項２】
口腔内から採取した歯型に基づいて形成した歯の石膏模型の固定面を有した板状部と、当該板状部の裏面から突出するピンを複数本設けた連結ピン部材と、前記連結ピン部材を着脱可能に載置する載置面を形成したベース部材を有する歯科技工用基台であって、
前記ベース部材の載置面には前記連結ピンの軸部と嵌合可能な複数の孔と当該孔の直近に配置した凸部が設けられており、
前記連結ピン部材の板状部は、前記ベース部材の載置面を成形型として当該載置面に嵌合させたピンの頭部を内包するように形成された石膏による成形物であることを特徴とする歯科技工用基台。
【発明の詳細な説明】
【技術分野】
【０００１】
本発明は、連結ピン部材の製造方法および歯科技工用基台に関するものである。
【背景技術】
【０００２】
従来より、義歯等を製作する際に使用する特許文献１に記載されているような歯科技工用作業模型の基台が知られている。当該基台は、図４に示すようなベース部材１００と当該ベース部材に係合される連結ピン部材１０１より構成されている。ベース部材１００は、咬合器（図示せず）に取り付けられる剛性を有する樹脂部材として歯の配列形状に合わせて湾曲した形状に形成されたものである。ベース部材１００の上面には、段丘部として形成された馬蹄形のような半楕円形状のランド１０２が設けられており、さらに当該半楕円形状を成すランド１０２の表面中央部に沿って複数の穴１０３が設けられている。
前記連結ピン部材１０１は、前記ランド１０２と同様の外形形状に形成された板状のプレート１０４と、前記ランド表面の穴と嵌合するピン１０５を裏面から突出するように形成したものである。そして、当該連結ピン部材１０１は、前記基台１００の上面のランド１０２に対して着脱可能に装着することができるようになっている。
【０００３】
連結ピン部材１０１の裏面には、前記ランド１０２の表面に形成された凸部１０６と嵌合する凹部１０７が各ピン１０５と対を成すように複数個設けられている。そして、表面はほぼ平らに形成されており、歯科医院などで採取した歯形（雌型）に基づいて形成した石膏による歯の模型（図示せず）を取り付ける取り付け面となっている。
前記連結ピン部材１０１は、合成樹脂によって形成されており、連結ピン部材１０１上に取り付けた石膏による歯形とともに切断され、必要とされる歯の部分を切り出すことができるものである。また、連結ピン部材１０１は予めピン１０５とともに一体成形された樹脂部材であり、前記のように切断された後は再利用されることなく、資源として分別できない合成樹脂と金属の混合物として廃棄されていた。
【先行技術文献】
【特許文献】
【０００４】
【特許文献１】特許第４１１２７３２号公報
【発明の概要】
【発明が解決しようとする課題】
【０００５】
本発明は上記課題に基づき発明されたものであって、安価でありかつ廃棄される部位の少ない歯科技工用模型の基台を提供することを課題とするものである。
【課題を解決するための手段】
【０００６】
上記課題を解決するために本願発明は以下の手段を有する。
口腔内から採取した歯型に基づいて形成した歯の石膏模型を表面に固定する板状部と、当該板状部の裏面から軸部を突出させたピンを複数本有する歯科技工用基台の連結ピン部材の製造方法であって、
前記連結ピン部材を着脱可能に載置する載置面を形成したベース部材を設けるとともに前記載置面を底面とした収容部を形成する上端開口の枠部材を設け、
前記載置面に設けられた孔に頭部を除くピンの軸部を嵌合させるとともに枠部材の内側に硬化前の石膏液を流し込み、前記ピンの頭部を内包するように石膏を固化させることによって形成したことを特徴とする連結ピン部材の製造方法。
【０００７】
また、本願発明は以下の手段を有する。
口腔内から採取した歯型に基づいて形成した歯の石膏模型の固定面を有した板状部と、当該板状部の裏面から突出するピンを複数本設けた連結ピン部材と、前記連結ピン部材を着脱可能に載置する載置面を形成したベース部材を有する歯科技工用基台であって、
前記ベース部材の載置面には前記連結ピンの軸部と嵌合可能な複数の孔と当該孔の直近に配置した凸部が設けられており、
前記連結ピン部材の板状部は、前記ベース部材の載置面を成形型として当該載置面に嵌合させたピンの頭部を内包するように形成された石膏による成形物であることを特徴とする歯科技工用基台。
【発明の効果】
【０００８】
上記連結ピン部材の製造方法は、従来金属製のピンとともに一体成形されていた合成樹脂による連結ピン部材と異なり、安価な石膏と金属製のピンによって形成されている。連結ピン部材は、その使用後は再利用されずに廃棄されるものである。本発明は従来よりも連結ピン部材が安価であり、義歯等を形成する場合のコストを安価にすることができるという効果を有するものである。
また、従来の連結ピン部材は、プラスチック等の合成樹脂とピンを一体的に形成したものであるので、合成樹脂の部分とピンとを分別することができないものであり、ましてピンを再利用することができないものであった。本発明は、ピンを埋設している部材が石膏であるから、加圧等による破砕が容易であり再利用可能な状態でピンを取り出すことが可能である。したがって、本発明は、従来のものと比較して廃棄物の量が少なく資源の有効利用が可能であるいという効果を有している。
また、上記歯科技工用基台も同様に、連結ピン部材が安価であり義歯等を安価に形成することができるという効果を有するものである。さらに廃棄による無駄が少ないという効果を有しているものである。
【図面の簡単な説明】
【０００９】
【図１】本発明に係る連結ピン部材を形成するための手段を表した説明図である。
【図２】図１に示した各手段を結合させた状態の説明図である。
【図３】図１に示した各手段によって形成した連結ピン部材の説明図である。
【図４】従来の歯科技工用模型の基台に関する説明図である。
【発明を実施するための形態】
【００１０】
以下、本発明を実施するための形態について説明する。図１は、歯科技工用作業模型の基台（以下「基台」という）１を構成するベース部材２、当該ベース部材に装着される枠部材３および複数個のピン４を表している。
ベース部材２は、作成した歯型の噛み合いを確認する際に使用する咬合器（図示せず）に装着固定するための取り付け部材としても使用されるものであり、剛性の高いプラスチック等の合成樹脂成型物として形成されている。
ベース部材２は、歯の配列形状に合わせて馬蹄形のような半楕円形状に湾曲させた形状の台座部と、当該台座部上面から突出するように形成したランド５を有したものである。ランド５は丘のように突出した部位であり、ベース部材２の外形形状よりもやや小さい相似形に形成された平面部と、当該平面部とベース部材２側部上縁との間に環状で細幅の段差部６を設けたものとなっている。
ランド５は、後に水で溶いた石膏（石膏液）を流し込んで固化させる収容部の底面となる部位であるので、石膏との剥離性を高めるために当該部位をシリコン等の剥離性の高い樹脂素材によって形成してもよい。また、シリコン等を使用しない場合には、石膏との剥離を容易にするために離型剤が塗布される。
【００１１】
平面視で湾曲した形状に形成された前記ランド５の表面には、湾曲した当該ランドの中心線上に沿って複数の孔７が設けられている。当該孔７は、前述したピン４の軸部と嵌合するように形成された孔であり、頭部を除く軸部のすべてを収容するとともに、軸部を保持するように形成されたものである。
また、当該ランド５表面の内縁部および外縁部には、２個で対を成す蒲鉾状の凸条８（８ａ、８ｂ）が複数設けられている。当該凸条８は、外縁に沿った凸条８ａと内縁に沿った凸条８ｂを前述した孔７を中間に挟んで対峙するように設けたものである。すなわち、一つの孔と２つの凸条を概ね同一の直線上に配置したものを一組として、ランド５の表面に規則的に配置している。
なお、孔７の位置は、一般的な成人の歯並びをモデルとして個々の歯に対応する位置に設けられている。すなわち、一本の歯毎に一つの孔と２つの凸条を一組として配置するようになっている。
【００１２】
ピン４は、孔７内に嵌挿される前述した軸部９と当該軸部９上端に形成される頭部１０から成る部材である。軸部９は、下端に向かって外径が小さくなるように形成されたものであり、本実施の形態では矩形形状の横断面を有するように形成されている。なお、当該軸部の断面形状は、円形あるいは楕円形状であっても差し支えがないものであるが、本実施の形態では孔７を矩形の孔として形成し、当該孔内における軸部９の回転を防ぐことを目的として同様の矩形形状に形成したものである。
頭部１０は、円錐もしくは角錐を逆さにしたような上部面を平らに形成した部位であり、孔７の開口部の形状よりも外形形状を大きく形成したものである。
【００１３】
枠部材３は、ベース部材２の上端部外周に装着されるものであり、上下貫通の開口１１を形成した部材である。本実施の形態における枠部材３は、その外形形状をベース部材２の外形形状よりもやや大きな相似形を成すように形成しており、内周面下部に前記ベース部材２上縁の段差部６と密着する内側段部１２を設けたものである。すなわち、内側段部１２はベース部材２の外周面と嵌合する開口面積の大きい部位と、ランド５の外周面と嵌合するように密着する開口面積の小さい部位を有するように形成されている。
上記枠部材３をベース部材２の上端に装着すると、ベース部材２の段差部６と枠部材３の内側段部１２が水密的に密着し、図２に示すようにランド５の表面を底とした上部開口の収容部１３が形成される。当該収容部１３の深さは、孔７に装着された際に突出したピン４の頭部１０の高さを超える深さとなっている。
また、枠部材３は石膏や他の接着性の素材との剥離性の高いシリコンを素材として形成されている。なお、枠部材３すべてをシリコン樹脂によって形成する他、枠部材３を他の素材によって形成し内面にシリコン樹脂をコーティングもしくは離型剤を塗布することで同様の作用を有するように形成しても差し支えがないものである。
【００１４】
次に、連結ピン部材の形成について説明する。前述したように、従来の連結ピン部材は予めピンを植設した合成樹脂部材として形成されたものである。これに対して本発明は、連結ピン部材を合成樹脂ではなく歯の模型と同様に石膏によって形成することを特徴としている。以下、連結ピン部材の形成方法について説明する。
はじめに、図２に示す斜視図のようにランド５表面の全ての孔７にピン４を装着し、さらにベース部材２の上端に枠部材３を装着する。ベース部材２に枠部材３を装着すると、上部開口の収容部１３が形成される。枠部材３の上部開口面は、ランド５の表面とほぼ平行を成すように形成されている。
【００１５】
上記構成によって形成された収容部１３に液状の石膏を流し込み固化させる。収容部１３に入れられた石膏は、上方に向かって膨出するように形成されたピン４の頭部１０を包み込んだ状態で固化するので、ピン４は固化した石膏によって抜けることなく強固に保持されるようになっている。
石膏を固化させた後に枠部材３を取り外し、さらにプレート状に固化した板状部１５を上方に引き抜くと図３に示すような連結ピン部材１４が形成される。
当該連結ピン部材１４は、上面が平坦面に形成されるとともに、下面からピン４が突出するように形成されたものとなっている。ピン４の頭部は前述したように膨出部として形成されているので、固化した石膏が割れないかぎり抜け落ちることがないようになっている。
【００１６】
また、ピン４が突出する連結ピン部材１４の下面は、ランド５の表面形状を型として倣った形状を成しているので、連結ピン部材１４の下面にはランド５の凸条８に対応する凹部１６が形成される。したがって、連結ピン部材１４は、着脱を繰り返してもベース部材２に対して精度よく同じ位置に戻すことができるようになっている。そして、この着脱に伴う元の位置への装着精度は、連結ピン部材１４を個々の歯毎に切断した場合にも保たれるものである。
【００１７】
上記連結ピン部材１４は、歯科医等によって採取された歯型に基づいて形成した石膏による歯の模型を固着して、義歯や冠部材の作成作業に使用する型として部分的に切り出されるものである。そして、切り出された部分は、作成した義歯等を装着した歯（歯の模型）のかみ合わせを確認するために再び元の位置に戻される。この際、取り外されていた部位のピン４と凹部が、ベース部材２（ランド５）の孔７と凸条８に嵌合することにより高精度に元の位置に戻される。
上記噛み合わせの確認は、咬合器にベース部材２を装着し噛み合いを確認しながら義歯や冠部材の形状を調整するようになっている。
【００１８】
最終的な目的物である義歯や冠部材が完成した後は、連結ピン部材１４は不要となり廃棄されることになる。
従来の連結ピン部材は、プラスチック等の合成樹脂部材に金属ピンを固着したものであるので、合成樹脂部材と金属ピンが分別されることもなくそのまま廃棄されていた。しかし、本発明において作成した連結ピン部材１４は、石膏を主原料とするものであるから、加圧して砕けば簡単に金属ピンを除去することができる。そして、除去したピンは廃棄することなく繰り返し利用することができるものである。また、石膏に添加物を混入していない場合には、破砕された石膏自体を回収し、再処理により石膏を再利用することも可能となっている。
【００１９】
なお、歯の配列形状や大きさには個人差があるので、ある程度のパターンに対応できるようにベース部材も数種類用意することが望ましい。しかし、従来の歯科技工用作業模型の基台の場合には、ベース部材の形状を変えるとピンを植設した連結ピン部材の形状も変える必要があったので、それぞれ成型用の金型が必要であり高価なものとなっていた。
しかし、本発明の場合には、連結ピン部材をベース部材に合わせて形成するものであるから、連結ピン部材用の成型金型が不要である。また、前述の例では予めベース部材に適合する枠部材３を設けていたが、ランド５の周囲に粘着テープなどを貼り付けて上方に突出した壁を形成し、当該壁によって簡易的な枠部材を形成することで連結ピン部材形成用の空間を形成することも可能である。したがって、大きさや形状が異なる複数種類のベース部材が用意されている場合であっても、逐一連結ピン部材形成用の金型を形成する必要がなく、安価に連結ピン部材を形成することができるものとなっている。
【産業上の利用可能性】
【００２０】
本発明は、義歯や歯に装着する冠部材を作成する際に使用する連結ピン部材の製造方法および歯科技工用基台に利用可能である。
【符号の説明】
【００２１】
１  基台
２  ベース部材
３  枠部材
４  ピン
５  ランド
６  段差部
７  孔
８（８ａ、８ｂ）  凸条
９  軸部
１０  頭部
１１  開口
１２  内側段部
１３  収容部
１４  連結ピン部材
【図１】
2011161074.tif 000003
【図２】
2011161074.tif 000004
【図３】
2011161074.tif 000005
【図４】
2011161074.tif 000006